(57)【要約】  第１電極2aと、第１電極2aの外側に位置する第２電極2bと、を有する基板1と；基板1の第１電極2aを覆って、第２電極2b上に配置される導電部材5と；導電部材5の上方に配置された可動部6を有する押圧部材60と；押圧部材60の上方から押圧部材60を部分的に覆うカバー7であって、基板1を保持するアームを有するカバー7と；を備え、カバー７のアームのうち、少なくとも一つのアーム8は、基板1を保持する端部8bを有する、スイッチ。【選択図】  図１
2017047705.tif 000002
【特許請求の範囲】
【請求項１】
第１電極と、第１電極の外側に位置する第２電極と、を有する基板と；
基板の第１電極を覆って、第２電極上に配置される導電部材と；
導電部材の上方に配置された可動部を有する押圧部材と；
押圧部材の上方から押圧部材を部分的に覆うカバーであって、基板を保持するアームを有するカバーと；を備え、
カバーのアームのうち、少なくとも一つのアームは、基板を保持する端部を有する、スイッチ。
【請求項２】
カバーは、金属から成る、請求項１に記載のスイッチ。
【請求項３】
カバーは、樹脂から成る、請求項１に記載のスイッチ。
【請求項４】
基板は切欠部を有し、切欠部は、基板の周側面において、基板の上面から下面まで延びており、カバーの少なくとも一つのアームは、部分的に切欠部の中に配置される、請求項１−３のいずれかに記載のスイッチ。
【請求項５】
カバーは、長さが異なるアームを有する、請求項１−４のいずれかに記載のスイッチ。
【請求項６】
第１電極と、第１電極の周りに位置する第２電極と、を有する基板と；
基板の第１電極を覆って、第２電極上に配置される導電部材と；
可動部を有する押圧部材と；
第１アームと、第１アームよりも短いアームとを有する金属カバーと；を有するスイッチであって、
金属カバーは、金属カバーと基板の間に押圧部材を挟んで保持し、
金属カバーの第１アームの端部は、基板の下面を保持する、スイッチ。
【請求項７】
第１アームよりも短いアームは、追加のアームである、請求項６に記載のスイッチ。
【請求項８】
追加のアームは、押圧部材の側面を部分的に覆う、請求項７に記載のスイッチ。
【請求項９】
基板の切欠部は、半円柱状の溝である、請求項４に記載のスイッチ。
【請求項１０】
カバーの少なくとも一つのアームの端部は、基板の切欠部において、基板の下面と係合するフックを有する、請求項４又は９に記載のスイッチ。
【請求項１１】
金属カバーの第１アームよりも短いアームの端部は、基板の上面を保持する、請求項６に記載のスイッチ。
【請求項１２】
金属カバーは、中央部に、金属カバーの中央部の上面から下面へ貫通する開口を有し、押圧部材の可動部は、第１凸部と、第１凸部よりも導電部材に近い位置にある第２凸部とを有し、押圧部材の可動部の第１凸部は、金属カバーの中央部の下方から、金属カバーの開口内を通過するよう配置されている、請求項２，６及び１１のいずれかに記載のスイッチ。
【請求項１３】
基板は、基板の側面に位置する切欠部を有し、金属カバーのアームは切欠部内に配置され、金属カバーのアームの端部は、基板の下面に係合するフックを有する、請求項２，４，６，１１及び１２のいずれかに記載のスイッチ。
【請求項１４】
基板は、基板の角部に切欠部を有し、金属カバーのアームの端部は、基板の角部にある切欠部において、基板を保持する、請求項２，４，６，１１及び１２のいずれかに記載のスイッチ。
【請求項１５】
金属カバーのアームは、切欠部よりも幅の小さい部分と、切欠部よりも幅の広い部分を有する、請求項４，１３及び１４のいずれかに記載のスイッチ。
【請求項１６】
金属カバーの厚みは一定である、請求項２及び１１−１５のいずれかに記載のスイッチ。
【請求項１７】
基板は、基板の角部に位置する切欠部を有し、少なくとも一つのアームの少なくとも一つの端部は、基板の角部に位置する切欠部の中に配置される、請求項１−３のいずれかに記載のスイッチ。
【請求項１８】
押圧部材の可動部は、第１凸部と、第１凸部よりも導電部材に近い位置にある第２凸部を有し、カバーは、押圧部材の可動部の第１凸部がはめ込まれた開口を有し、カバーは、可動部の第１凸部の周りで押圧部材を保持する、請求項１−１７のいずれかに記載のスイッチ。
【請求項１９】
基板は、基板の対角線上に位置する第１角部と第２角部を有し、基板の第１角部は第１切欠部を有し、カバーの少なくとも一つのアームは、押圧部材を部分的に覆って延びる延長部を有し、延長部の先端は、基板の第１角部の第１切欠部内に位置する、請求項１に記載のスイッチ。
【請求項２０】
第１電極と、第１電極の外側に位置する第２電極と、を有する基板と；
基板の第１電極を覆って、第２電極上に配置される導電部材と；
導電部材の上方に配置された可動部を有する押圧部材と；
押圧部材の上方から押圧部材を部分的に覆う金属カバーであって、基板を保持する第１アームと第２アームを有する金属カバーと；を備え、
基板は、基板の対角線上に位置する第１角部と第２角部を有し、金属カバーの第１アームは、基板の第１角部を保持する端部を有し、金属カバーの第２アームは、基板の第２角部を保持する端部を有する、スイッチ。
【請求項２１】
金属カバーの第１アームは、押圧部材の第１側面を部分的に覆い、基板に向かって延びる第１延長部と、第１延長部から基板１の第１角部に向かって延びる第２延長部と、基板の第１角部を保持する端部を有し、
金属カバーの第２アームは、押圧部材の第２側面を部分的に覆い、基板に向かって延びる第１延長部と、第１延長部から基板の第２角部に向かって延びる第２延長部と、基板の第２角部を保持する端部を有する、請求項２０に記載のスイッチ。
【請求項２２】
第１アームの第１延長部の幅は、第１アームの端部の幅より３倍以上幅広である、請求項２０又は２１に記載のスイッチ。
【請求項２３】
第２アームの第１延長部の幅は、第２アームの端部の幅より３倍以上幅広である、請求項２０又は２１に記載のスイッチ。
【請求項２４】
基板は、基板の第１側面に隣設される第１角部と第２角部を有し、基板は、第１角部に第１切欠部を有し、第２角部に第２切欠部を有し、
少なくとも一つのアームは、押圧部材の第１側面上を横切って延びる延長部と、延長部の端から基板の第１側面上において、第１角部に向かって延びる第１枝部と、基板の第２角部に向かって延びる第２枝部と、を有し、
少なくとも一つのアームの第１枝部は、基板１の第１切欠部内に配置される第１端部を有し、
少なくとも一つのアームの第２枝部は、基板１の第２切欠部内に配置される第２端部を有する、請求項１に記載のスイッチ。
【請求項２５】
基板の切欠部は、基板の側面および／もしくは基板の角部に設けられている、請求項４，１４，１５，１７，１９，２０及び２４のいずれかに記載のスイッチ。
【請求項２６】
カバーの少なくとも一つのアームの端部は、基板の切欠部において、基板の下面と係合するフックを有する、請求項４，１４，１５，１７，１９及び２４のいずれかに記載のスイッチ。
【請求項２７】
カバーの少なくとも一つのアームの端部は、基板の切欠部内で、基板を保持する、請求項４，１４，１５，１７，１９及び２４のいずれかに記載のスイッチ。
【請求項２８】
基板の切欠部は、金属のめっきを有する、請求項４，１４，１５，１７，１９及び２４のいずれかに記載のスイッチ。
【請求項２９】
少なくとも一つのアームの少なくとも一つの端部は、基板の角部に位置する切欠部内にかしめられている、請求項１７−２８のいずれかに記載のスイッチ。
【請求項３０】
基板の下面は、基板の角部に近い位置にある第１下面と、第１下面よりもさらに下方に位置する第２下面を有し、アームの端部の下面は、基板の第２下面よりも高い位置にある、請求項１−１６のいずれかに記載のスイッチ。
【請求項３１】
基板の下面は平坦である、請求項１，１７−２４のいずれかに記載のスイッチ。
【請求項３２】
第１電極と、第１電極の外側に位置する第２電極と、を有する基板の周側面に切欠部を形成すること；
導電部材を、基板の第１電極を覆って第２電極上に配置し、導電部材固定用シートで、導電部材の周縁を基板上に固定すること；
シートで、導電部材の少なくとも中央部分上面と、固定用シートの上面を覆うこと；
アームを有するカバーの下方から、カバーの開口内に押圧部材の一部がはまるように配置すること；
カバーのアームの一部を、基板の周側面に形成された切欠部にはめ込むこと、から成るスイッチの製造方法。
【請求項３３】
さらに、カバーのアームにおいて、アームの端部を機械的にかしめること、を含む、請求項３２に記載のスイッチの製造方法。
【請求項３４】
第１面の複数の区分において、それぞれが第１電極と、第１電極の周りに位置する第２電極と、を形成すること；
第２面から基板をハーフダイシングして、第２面に高さの異なる第１下面と第２下面を形成すること、各区分の境界線上であって、上面と第２下面とを通過する少なくとも一対のスルーホールと、上面と第１下面とを通過する少なくとも一対の貫通穴を有する複数の区分を含む基板を準備すること；
導電部材を各区分に配置して、導電部材固定用シートで、導電部材の周縁を固定し、各区分に配置された導電部材の少なくとも中央部分の上面と導電部材固定用シートの上面と、を覆って接着する保護シートを配置すること；
各区分の境界線上においてダイシングし、それぞれが基板と導電部材を含む複数の第１セットを得ること；
開口とアームを有するカバーを準備すること；
押圧部材を準備すること；
カバーの開口内に押圧部材の一部がはまるように、カバーの下面から押圧部材の上面を向かい合わせに配置して、カバーと押圧部材とを有する複数の第２セットを得ること；
第２セットのカバーのアームの一部を、第１セットの基板の周側面に形成された切欠部にはめ込むこと；から成るスイッチの製造方法。
【請求項３５】
さらに、カバーのアームにおいて、アームの端部を機械的にかしめること、を含む、請求項３４に記載のスイッチの製造方法。
【発明の詳細な説明】
【技術分野】
【０００１】
本発明は、基板と、基板を保持するカバーと、を有するスイッチに関する。本発明は、スイッチを有する電子機器に関する。スイッチを有する電子機器は、例えば、カーオーディオシステム、キーレスエントリーシステム、スマートフォン、タブレットPC、携帯電子機器である。
【背景技術】
【０００２】
従来のスイッチは、例えば、基板と、基板の上面に対して平行な方向に押し込み可能な操作部材を有している。従来のスイッチは、さらにモールド枠又はハウジングと、モールド枠又はハウジングと係合する係合部を有するカバーと、を有している。【０００３】
特許文献１のスイッチは、天板部と、側板部と、係合部と、側面に開口とを有するカバーと、モールド枠と、基板とを有する。特許文献１のスイッチは、カバーとモールド枠の間において、カバーの側面に位置する開口内に、基板の上面に対して平行な方向にスライドする操作部材を有する。カバーは、さらに側板部の下端から外方向に折れ曲がる係合部を有する。カバーの係合部は、モールド枠に係合させて固定される。【０００４】
特許文献２は、横向きに押し込み操作される操作レバーを有するスイッチを開示する。接点収納部と、ハウジングと板金製の蓋体と、横向きに押し込み操作される操作レバーを含む操作部を有するスイッチを開示する。蓋体は、ハウジングの外壁に係合される複数の係合部を有することが開示される。
【先行技術文献】
【特許文献】
【０００５】
【特許文献１】特開２００９−１９３７７０号公報
【特許文献２】特開２０１０−１４６９８３号公報
【発明の概要】
【発明が解決しようとする課題】
【０００６】
本発明の実施形態で提案される構造は、先行技術文献において提案されていない課題を解決する。
【課題を解決するための構造】
【０００７】
本発明の第１の態様は、第１電極と、第１電極の外側に位置する第２電極と、を有する基板と；基板の第１電極を覆って、第２電極上に配置される導電部材と；導電部材の上方に配置された可動部を有する押圧部材と；押圧部材の上方から押圧部材を部分的に覆うカバーと、を有する。カバーは、アームを有する。カバーのアームのうち、少なくとも一つのアームは、基板を保持する端部を有する。
【０００８】
本発明の第２の態様は、第１電極と、第１電極の外側に位置する第２電極と、を有する基板と；基板の第１電極を覆って、第２電極上に配置される導電部材と；導電部材の上方に配置された可動部を有する押圧部材と；押圧部材の上方から押圧部材を部分的に覆う金属カバーと、を有する。金属カバーは、基板１保持する、第１アームと第２アームを有する。基板は、基板の対角線上に位置する、第１角部と第２角部とを有する。金属カバーの第１アームは、基板の第１角部を保持する端部を有する。金属カバーの第２アームは、基板の第２角部を保持する端部を有する。
【発明の効果】
【０００９】
発明の効果は、各実施形態において説明される。
【図面の簡単な説明】
【００１０】
【図１】本発明の第１実施形態に係るスイッチを上方側から見た斜視図である。
【図２】図１に示されるスイッチの下面図である。
【図３Ａ】図１に示されるスイッチのIIIA-IIIA断面図である。
【図３Ｂ】図１に示されるスイッチのIIIB-IIIB断面図である。
【図４】図１に示されるスイッチの分解斜視図である。
【図５】本発明の第２実施形態に係るスイッチを上方側から見た斜視図である。
【図６】図５に示されるスイッチの下面図である。
【図７】図５に示されるスイッチのVII-VII断面図である。
【図８Ａ】本発明の実施形態に係るスイッチの製造方法に関する図面である。複数の区分を含む集合基板としての基板を示す。各区分は、第１電極と、第１電極の外側に位置する第２電極と、を有する。最終的に、各区分は一点鎖線にそって切り離されて、各スイッチの基板となる。
【図８Ｂ】本発明の実施形態に係るスイッチの製造方法に関する図面である。基板の各区分に導電部材が配置されて固定された後、上面をシートで覆った状態を示す。シートは、水や塵の侵入を防ぐのに役立つ。各区分は、一点鎖線にそって切断し、基板と、基板上に電気的に配置された導電部材と、導電部材と基板の上方を覆うシートとを有する第１セットを準備する図を示す。
【図８Ｃ】本発明の実施形態に係るスイッチの製造方法に関する図面である。図８Ｂに示される集合基板としての基板の下面図である。最終的に、一点鎖線にそって切断される。
【図８Ｄ】押圧部材の可動部における第１凸部を、カバーの下方から、カバーの開口にはめ込み、カバーと押圧部材を有する第２セットを準備する図を示す。
【図８Ｅ】本発明の実施形態に係るスイッチの製造方法に関する図面である。第１セットと第２セットを組み合わせて、スイッチとする図を示す。
【図９】本発明の第３実施形態に係るスイッチを上方側から見た斜視図である。
【図１０】金属カバーの開口内に、押圧部材の可動部をはめ込む図を示す。金属カバーの第１アームの端部は、基板の第１角部にある切欠部内に位置する。金属カバーの第２アームの端部は、基板の第１角部に対向する位置にある第２角部にある切欠部内に位置する。
【図１１】図９で示すスイッチの上面図である。
【図１２】図９で示すスイッチの下面図である。
【図１３】図９で示すスイッチの第一側面図である。
【図１４】図９で示すスイッチの第二側面図である。
【図１５】図１１で示すスイッチのXV-XV断面図である。
【図１６】図９で示すスイッチの分解斜視図である。
【図１７】本発明の第４実施形態に係るスイッチを上方側から見た斜視図である。
【図１８】金属カバーの開口内に、押圧部材の可動部をはめ込む図を示す。
【図１９】図１７で示すスイッチの上面図である。
【図２０】図１７で示すスイッチの下面図である。
【図２１】図１７で示すスイッチの第一側面図である。
【図２２】図１７で示すスイッチの第二側面図である。
【図２３】図１９で示すスイッチのXXIII-XXIII断面図である。
【発明を実施するための形態】
【００１１】
本明細書に使用されるように、「および／もしくは」という言葉は、関連して記載された項目の一つ、もしくは一つ以上の組み合わせのうちのいずれか、それらの組み合わせの全て、を含んでいる。
本明細書で使用される言葉は、それぞれの実施形態を描写する目的のために使用されるのであって、本発明の限定を意図するものではない。
本発明の実施形態は、ここに含まれる図面を参照して説明されるが、図面は、本来概略的なものであることに留意されるべきである。
本明細書において用いられる「〜の下方に」や「〜の上方に」、「上の」や「下の」、「上方」や「下方」のような相対語は、図に示される、ある要素、部分、面、エリアもしくは方向と、別の構成要素、部分、面、エリアもしくは方向との関係を描写するものとして使用されている場合がある。本発明のスイッチは、図に示される方向に加えて、異なる向きに配置される可能性があることを理解されたい。
【００１２】
図１−図４は、本発明の第１実施形態に係るスイッチ100を示す。
スイッチ100は、第１電極2aと、第１電極2aの外側に位置する第２電極2bと、を有する基板1と；基板1の第１電極2aを覆って第２電極2b上に配置される導電部材5と；導電部材5の上方に配置された可動部6を有する押圧部材60と；押圧部材60の上方から押圧部材60を部分的に覆うカバー7と、を有する。
【００１３】
カバー7は、基板1を保持する少なくとも一つのアームを有する。カバー7のアームのうち、少なくとも一つのアームは、基板1を保持する端部8bを有する。
【００１４】
押圧部材60は、可動部6を有する。押圧部材60の可動部6は、第１凸部6aと、第１凸部6aよりも導電部材5に近い位置にある第２凸部6bと、を有する。押圧部材60の可動部6は、弾性部材から成っても良い。弾性部材としては、樹脂やゴムなどが考えられる。
【００１５】
基板1の上面1aにおいて、第２電極2bは、第１電極2aの外側に位置する。第２電極2bは、第１電極2aの少なくとも一部を取り囲むように配置される。第２電極2bは、第１電極2aの周りに環状に配置されていても良い。基板1の上面1aに配置される第１電極2aは、スルーホール3a（第１スルーホール）を介して、基板1の下面1bに設けられる第１電極2a’に電気的に接続される。基板1の上面1aに配置される第２電極2bは、スルーホール3b（第２スルーホール）を介して、基板1の下面1bに設けられる第２電極2b’に電気的に接続される。本実施形態においては、スルーホール3a（第１スルーホール）は、1/2スルーホールとして示されている。スルーホール3b（第２スルーホール）は、1/2スルーホールとして示されている。なお、電極やスルーホールの位置や形状は、図示され、説明される形状に限定されるものではない。
【００１６】
カバー7が金属製である場合、スイッチの剛性を高めることが可能である。例えば、カバー7はステンレスから成るものでも良い。また、カバー7は、銅から成るものでも良い。カバー7は、金属薄板から打ち抜いてカバーとすることも可能である。したがって、この場合には、カバー7の厚みは一定とすることが出来る。アームにおいても、カバー7の開口部分においても、カバー7の厚みは一定とすることが出来る。カバー7の厚みは、例えば0.1〜0.3mmの範囲内にある数値が考えられる。実施形態によっては、カバーの厚みは、0.15〜0.25mmの範囲内にある数値が考えられる。
【００１７】
本実施形態に係るスイッチ100のカバー7は、複数のアームを有する。カバー7の複数のアームのうち、少なくとも1つのアームは、基板1を保持する端部を有する。したがって、基板1に対するカバー7の位置決めが容易である。また、カバー7と基板1の位置が決まれば、カバー7と基板1の間で押圧部材60の位置を確定することが出来る。カバー7のアームのうち、少なくとも一つのアームは、基板1を保持する端部を有する。第１実施形態において、カバー7は複数のアーム8, 9, 10を有する。
【００１８】
基板1は、切欠部4を有する。切欠部4は、基板1の周側面1cに設けられる。切欠部4は、基板1の上面1aから下面1bまで延びる。下面1bは第１下面である。基板1は、下面において、第1下面1bの内側に、さらに下に位置する第２下面1b’を有する。基板1は、樹脂から成る。
【００１９】
本実施形態においては、基板1の周側面1cは四つの側面を有する。基板1の周側面1cの四つの側面において、第１側面1caに二つの切欠部4が配置され、第１側面の反対側に位置する第２側面1cbに二つの切欠部4が配置されている。本実施形態において、切欠部4は、半円柱形を有する溝である。切欠部4は、基板の上面1aまたは下面1bから見ると、半円形に見える。
【００２０】
カバー7の複数のアームのうち、少なくとも一つのアーム8は、部分的に切欠部4の中に配置されている。カバー7の少なくとも一つのアーム8の端部は、基板１の切欠部4において、基板1の下面1bと係合するフック8bを有する。アーム8のフック8bは、基板1の下面1bにおいて、切欠部4の半円形状の直径よりも長い。したがって、カバー7のアーム8の先端にあるフック8bは、基板1の下面1bに係合する。カバー7の少なくとも一つのアーム8の端部にあるフック8bを機械的にかしめて、カバー7を基板1に固定することが可能である。
【００２１】
なお、導電部材5は、基板1の第１電極2aを覆って第２電極2b上に配置される。導電部材5の周縁は、シート12によって固定される。導電部材5は、金属から成る。金属は、ステンレス、鋼合金、ニッケル合金、アルミニウム合金、チタンなどが考えられる。
【００２２】
導電部材5は、第２電極2b上に接触して配置されている。導電部材5の上方に配置された押圧部材60において、可動部6の第１凸部6aに上方から押す力が加わると、第１凸部6aの反対側に位置し、より導電部材5に近い位置にある第２凸部6bによって、導電部材5は上から押されて、導電部材5の下面が第１電極2aと接する。この時に、基板1の第１電極2aと第２電極2bとが導通し、スイッチの機能を果たす。上から押される力がある場合、導電部材5は、形を変えるが、上から押される力がなくなると、もとの形状に戻る。導電部材5は円形状のバネでも良い。また、ドーム状を有していても良い。導電部材5の形状は、様々なものが考えられる。
【００２３】
本実施形態において、カバー7は、第１アーム8と、第２アーム8’と、第３アーム8”と、第４アーム8”’を有する。第１アーム8と第２アーム8’は、基板1の周側面1cの第１側面1ca側に配置される。第３アーム8”と、第４アーム8”’は、基板１の周側面1cの第２側面1cb側に配置される。第２側面1cbは、第１側面1caの反対側にある。
【００２４】
第１アーム8の延長部8aは、押圧部材60の第１側面60caに沿って曲がり、基板1の周側面1cの第１側面1caに設けられた第１切欠部4(4a)の中に配置されている。第２アーム8’の延長部8aは、押圧部材60の第１側面60caに沿って曲がり、基板１の周側面1cの第１側面1caに設けられた第２切欠部4(4b)の中に配置されている。
【００２５】
第３アーム8”の延長部8aは、押圧部材60の第２側面60cbに沿って曲がり、基板1の周側面1cの第２側面1cbに設けられた第３切欠部4(4c)の中に配置されている。第４アーム8”’の延長部8aは、押圧部材60の第２側面60cbに沿って曲がり、基板１の周側面1cの第２側面1cbに設けられた第４切欠部4(4d)の中に配置されている。
【００２６】
第１アーム8の延長部8aは端部8bを有する。第１アーム8の端部8bは、基板1の下面(第１下面)1bに係合するフックを有している。第２アーム8’の延長部8aは端部8bを有する。第２アーム8’の端部8bは、基板１の下面（第１下面）1bに係合するフックを有している。第３アーム8”の延長部8aは端部8bを有する。第３アーム8”の端部8bは、基板１の下面（第１下面）1bに係合するフックを有している。第４アーム8”’の延長部8aは端部8bを有する。第４アーム8”’の端部8bは、基板１の下面（第１下面）1bに係合するフックを有している。なお、フック8bの幅は、アーム8の延長部8aの幅よりも広い。
【００２７】
本実施形態において、カバー7は、基板1を保持する、第１アーム8と、第１アーム8よりも長さの短いアーム9を有する。第１アーム8よりも短いアーム9は、追加のアームである。追加のアームは、追加の第１アーム9と、追加の第２アーム9’を有していても良い。
【００２８】
詳細には、本実施形態におけるスイッチ100は、第１電極2aと、第１電極2aの周りに位置する第２電極2bと、を有する基板1と；基板1の第１電極2aを覆って第２電極2b上に配置される導電部材5と；可動部6を有する押圧部材60と；第１アーム8と、第１アーム8よりも短い追加のアーム9とを有する金属カバー7と；を有する。押圧部材60は、金属カバー7と基板1の間に挟んで保持される。金属カバー7の第１アーム8は、第１アーム8の端部8bにて基板1の下面1bを保持する。本実施形態では、金属カバー7の追加のアーム9は、追加のアーム9の端部9bにて基板1の上面1aを保持する。なお。追加のアーム9の端部9bと基板1の上面1aとの間にシート12, 13を挟んでいても良い。
【００２９】
金属カバー7の複数のアームは、さらに追加のアーム（追加の第３アーム）10を有していても良い。追加の第３アーム10は、基板1の第３側面1ccにそって延びる延長部10aを有する。追加の第３アーム10の延長部10aの端部が、基板１の第２下面1b’と同じ高さの下面を有する平坦部10bを有していても良い。
【００３０】
金属カバー7の複数のアームは、さらに追加の第４アーム10’を有していても良い。追加の第４アーム10’は、基板1の第４側面1cdに沿って延びる延長部10aを有する。追加の第４アーム10’の延長部10a’の端部が、基板1の第２下面1b’と同じ高さの下面を有する平坦部10bを有していても良い。
【００３１】
金属カバー7の複数のアームは、さらに追加の第５アーム10”、追加の第６アーム10”’を有していても良い。追加の第５アーム10”は、基板1の第３側面1ccそって延びる延長部10aを有する。追加の第５アーム10”の延長部10aの端部が、基板1の第２下面1b’と同じ高さの下面を有する平坦部10bを有していても良い。追加の第６アーム10”’は、基板1の第４側面1cdに沿って延びる延長部10aを有する。追加の第６アーム10”’の延長部10a’の端部が、基板1の第２下面1b’と同じ高さの下面を有する平坦部10bを有していても良い。
【００３２】
スイッチ100をマザーボードに実装する場合に、金属カバー7の第３アーム10の平坦部10b、第４アーム10’の平坦部10b、第５アーム10”の平坦部10b、および第６アーム10”’の平坦部10bの下面は、マザーボードに半田付けされる面として使用することができる。基板1の第２下面1b’の第１電極2a’と第２電極2b’は、マザーボードの電極に、半田を介して電気的に接続することが出来る。
【００３３】
金属のカバー7は、開口11を有する。カバー7の開口11は、アームの端部よりも高い位置にある。カバー7の開口11は、カバーの中央部分に位置する。押圧部材60の可動部6において、第１凸部6aは、開口11を通過して、カバー7の上面7aより上に位置している。可動部6は、第１凸部6aの下に第２凸部6bを有する。第２凸部6bは、カバー7の開口11より下に位置している。可動部6は押す力が加わると、下に移動する。押す力がなくなれば、可動部6は、元の位置に戻る。可動部6の第２凸部6bが、導電部材5の中央部分を上から押し下げて、導電部材5の中央部分の下面が、基板1の第１電極2aと接触する。これによって、基板1の第１電極2aと第２電極2b間に電流が流れる。
【００３４】
図４を参照して、スイッチの製造方法に係る第１実施例を説明する。
スイッチの製造方法は、第１電極2aと、第１電極2aの周りに位置する第２電極2bと、を有する基板1の周側面に切欠部4を形成すること、を含む。基板1の周側面に切欠部4を形成する際、基板1の周側面において、切欠部4が設けられていない側面に第１電極2aと電気的に接続可能な第１スルーホール3aと、第２スルーホール3bとを設けても良い。スイッチの製造方法は、さらに、導電部材5を、基板1の第１電極2aを覆って、第２電極2b上に配置し、導電部材5の周縁を基板上の第２電極2b上に固定するシート12によって、導電部材5を基板1の上面1aに固定すること、を含む。シート12は、中心に開口を有していても良い。本実施形態において、シート12の開口内に導電部材5の少なくとも中央部分の上面が露出している。さらに、保護シート13で、導電部材5の少なくとも中央部分の上面と、固定用シート12の上面を覆うこと、を含む。保護シート13は、水や埃などの異物が、基板1と導電部材5の間に侵入するのを防ぐ。
【００３５】
図５−図７は、本発明の第２実施形態に係るスイッチ200を示す。
スイッチ200は、第１電極2aと、第１電極2aの外側に位置する第２電極2bと、を有する基板1と；基板1の第１電極2aを覆って第２電極2b上に配置される導電部材5と；導電部材5の上方に配置された可動部6を有する押圧部材60と；押圧部材60の上方から押圧部材60を部分的に覆うカバー7と、を有する。
【００３６】
カバー7は、基板1を保持する少なくとも一つのアーム8を有する。押圧部材60の可動部6は、第１凸部6aと、第１凸部6aよりも導電部材5に近い位置にある第２凸部6bと、を有する。カバー7は、金属から成っていても良い。また、本実施形態において、カバー7は、樹脂から成っていても良い。本実施形態において、少なくとも一つのアーム8を有する。アーム8は、基板1を保持する端部8bを有する。第１実施形態と同様に、カバー7は開口11を有する。
【００３７】
基板1は、切欠部4を有する。切欠部4は、基板1の周側面1cに設けられる。切欠部4は、基板1の上面1aから下面1bまで延びる。下面1bは第１下面である。基板１は、下面において、第１下面1bの内側に、さらに下に位置する第２下面1b’を有する。本実施形態においては、基板1の周側面1cは四つの側面を有し、第１側面1caに二つの切欠部4が配置され、第１側面1caの反対側に位置する第２側面1cbに二つの切欠部4が配置されている。本実施形態において、切欠部4は、半円柱形を有する溝である。切欠部4は、基板の上面1aまたは下面1bから見ると、半円形を有する。
【００３８】
カバー7のアーム8は、部分的に切欠部4の中に配置されている。カバー7のアーム8の端部は、基板１の切欠部4において、基板1の下面1bと係合するフック8bを有する。アーム8のフック8bは、基板1の第１下面1bにおいて、切欠部4の半円形状の直径よりも長い。したがって、カバー7のアーム8の先端にあるフック8bは、基板1の下面1bに係合して、カバー7は押圧部材60を部分的に覆って基板1に固定される。押圧部材60の可動部6は、カバー7の開口において可動可能に配置される。
【００３９】
本実施形態において、カバー7は、第１アーム8と、第２アーム8’と、第３アーム8”と、第４アーム8”’を有する。第１アーム8と第２アーム8’は、基板1の周側面1cの第１側面1ca側に配置される。第３アーム8”と、第４アーム8”’は、基板1の周側面1cの第２側面1cb側に配置される。第２側面1cbは、第１側面1caの反対側にある。
【００４０】
第１アーム8の延長部8aは、基板1の第１側面1caに設けられた第１切欠部、部分的に基板1の第１側面1caに設けられた二つの切欠部4の中にそれぞれ配置されている。四つのアーム（第１アーム）8のうち、対になる残りの二つのアーム（第１アーム）8の延長部8aは、基板1の第２側面1cbに沿ってそれぞれ延び、部分的に基板1の第２側面1cbに設けられた二つの切欠部4の中にそれぞれ配置されている。四つのアーム（第１アーム）8の延長部8aは先端に、基板1の下面(第１下面)1bに係合するフック8bを有している。
【００４１】
本実施形態において、カバー7は、基板1の上面1aと接する底面7cを有する四つの側面を含む周側面7dを有する。カバー7の周側面7dの底面7cが、基板1の上面1aを保持し、カバー7の周側面7dの底面7cから、部分的に下に延びるアーム8の延長部8aの先端にあるフック8bが基板1の下面1bを保持している。第２実施形態のカバー7は、第１実施形態のカバー7に比べて簡単な形状をしている。押圧部材60は、可動部6の上に配置される押圧部16を有していても良い。押圧部材16は、可動部6の第１凸部6aを覆う凸形状を有していてもよい。
【００４２】
図８Ａ−図８Ｅを参照して、スイッチの製造方法に係る第２実施例を説明する。
図８Ａは、本発明の実施形態に係るスイッチの製造方法に関する図面である。複数の区分を含む集合基板としての基板21を示す。各区分は、第１電極2aと、第１電極2aの外側に位置する第２電極2bとを有する。最終的に、各区分は切り離されて、各スイッチの基板1となる。
【００４３】
本実施形態におけるスイッチの製造方法は、基板21（集合基板）の上面である第１面21aの複数の区分において、各区分が第１電極2aと、第１電極2aの外側に位置する第２電極2bと、を有するように電極を形成することを含む。さらに、スイッチの製造方法は、基板21（集合基板）の下面である第２面から、基板21をハーフダイシングして切り込みを入れて、基板21の第２面に高さの異なる第１下面21bと第２下面21b’を形成すること、を含む。
【００４４】
また、図８Ａで示すように、本実施形態におけるスイッチの製造方法は、基板21（集合基板）の各区分の境界線上であって、上面21aと第２下面21b’とを通過する少なくとも一対のスルーホール(30a, 30b)と、上面21aと第１下面21bとを通過する少なくとも一対の貫通穴40（ダイシング後に切欠部4になる）を形成することを含む。
【００４５】
図８Ｂは、本発明の実施形態に係るスイッチの製造方法に関する図面である。基板1の各区分に導電部材5が配置されて固定された後、上面を保護シート23で覆った状態を示す。保護シート23は、水や埃などの異物が、基板と導電部材5の間に侵入するのを防ぐ。各区分は、一点鎖線にそって切断され、基板1と、基板1の上面1aに電気的に配置された導電部材5と、導電部材5と基板1の上方を覆う保護シート13とを有する第１セットを準備する図を示す。
【００４６】
図８Ｂにおいて、導電部材5を各区分に配置して、導電部材固定用シート22(大判)で導電部材5の周縁を固定し、各区分に配置された導電部材5の少なくとも中央部分上面と、導電部材固定用シート22の上面22aと、を覆って接着する保護シート23（防水・防塵シート大判）を配置すること、を含む。
【００４７】
図８Ｃは、本発明の実施形態に係るスイッチの製造方法に関する図面を示す。図８Ｂに示される基板21の下面図である。最終的に、一点鎖線にそって切断される。各区分の境界線上においてダイシングし、それぞれが基板1と導電部材5を含む複数の第１セット231を得る。基板1と導電部材5とを含むセットは、第１セット231である。
【００４８】
図８Ｄは、押圧部材60の可動部6における第１凸部6aを、カバー7の下方から、カバー7の開口11にはめ込み、カバー7と押圧部材60を有する第２セットを準備する図を示す。さらに、図８Ｄで示すように。開口11とアーム8を有するカバー7を準備し、押圧部材60を準備し、カバー７の開口11内に押圧部材60の一部がはまるように、カバー7の下面7bから押圧部材60の上面60aを向かい合わせに配置して、カバー7と押圧部材60を含む複数の第２セット76を得る。カバー7と押圧部材60とを含むセットは、第２セット76である。
【００４９】
図８Ｅは、本発明の実施形態に係るスイッチの製造方法に関する図面である。第１セット231と第２セット76とを組み合わせて、スイッチ100とする図を示す。スイッチ200も同様の製造方法にて、製造可能である。カバー7のアーム8の一部を、基板１の周側面に形成された切欠部4にはめ込む。この時、アーム8の延長部8aの端部8bを機械的にかしめる。
【００５０】
本実施形態において、基板21（集合基板）のスルーホール30a,30bは、ダイシングされると、基板1の1/2スルーホールとなる。また、基板21（集合基板）の貫通穴40は、ダイシングされると、基板1の半円柱状の切欠部4となる。
【００５１】
図９−１６は、本発明の第３実施形態に係るスイッチ300を示す。図９は、スイッチ300を上方側から見た斜視図である。図１０は、金属カバー7の中央部に設けた開口11内に、押圧部材60の可動部6の第１凸部6をはめ込む図を示す。図１１は、図９で示すスイッチ300の上面図である。図１２は、図９で示すスイッチ300の下面図である。図１３は、図９で示すスイッチ300の第一側面図である。図１４は、図９で示すスイッチ300の第二側面図である。図１５は、図１１で示すスイッチ300のXV-XV断面図である。
【００５２】
本実施形態のスイッチ300は、第１電極2aと、第１電極2aの外側に位置する第２電極2bと、を有する基板1と；基板1の第１電極2aを覆って、第２電極2b上に配置される導電部材5と；導電部材5の上方に配置された可動部6を有する押圧部材60と；押圧部材60の上方から押圧部材60を部分的に覆うカバー7であって、基板1を保持するアーム8を有するカバー7と、を有する。カバー7のアームのうち、少なくとも一つのアーム8は、基板1を保持する端部8bを有する。カバー７は、金属製である。図示されていないが、スイッチは、押圧部材60の可動部6が押し込まれた時に、スイッチ内部の空気を逃がす空気孔を有している。スイッチの基板1が、空気孔を有していても良い。基板1の空気孔は、基板1の上面1aから下面1bへ貫通するスルーホールであっても良い。
【００５３】
金属カバー7は、金属カバー7の中央部を上面7aから下面7bへ貫通する開口11を有する。押圧部材60の可動部6は、第１凸部6aと、第１凸部6aの反対側に位置する第２凸部6bとを有する。押圧部材60の可動部6の第１凸部6aは、金属カバー7の中央部の下方から、金属カバーの開口11内を通って配置されている。金属カバー7の下面7bは、押圧部材60の可動部6の周りで、押圧部材60の上面60aを基板1に向けて押さえながら、金属カバー７のアーム8が押圧部材60の側面を抱える。金属カバー7のアーム8の端部8bは、基板1を保持する。押圧部材60の可動部6の第２凸部6bは、第１凸部６aよりも導電部材5に近い位置にある。押圧部材60の可動部6の第１凸部6aは、金属カバー7の開口11内に配置される。押圧部材60の可動部6の第１凸部6aの周りで、金属カバー7の下面7bは、押圧部材60の上面60aに押し付けられている。
【００５４】
カバー7が、基板1を保持するアーム8を有するので、基板1に対してカバー7の位置が決まる。アーム8によって、基板1に対するカバー7の位置決めが容易になる。また、カバー7と基板1の間で、押圧部材60の可動部6に力が加わる時に、可動部6が可動可能に、可動部6の周りで、押圧部材60を抱えて基板1に向けて固定することが出来る。すなわち、本実施形態のスイッチの金属カバーのアーム8は、押圧部材60の可動部6が押し込まれる方向に延びて、基板1を抱えて、保持する。本実施形態のスイッチは、スイッチの基板1とカバー7とが分解しにくい構造を提案している。
【００５５】
スイッチ300は、第１電極2aと、第１電極2aの外側に位置する第２電極2bと、を有する基板1と；基板１の第１電極2aを覆って、第２電極2b上に配置される導電部材5と；導電部材5の上方に配置された可動部6を有する押圧部材60と；押圧部材60の上方から押圧部材60を部分的に覆う金属カバー7を有する。スイッチ300の金属カバー7は、基板１を保持する第１アーム8と第２アーム8’を有する。また、基板１は、基板１の対角線上に位置する、第１角部と第２角部を有する。金属カバー7の第1アーム8は、基板1の第１角部を保持する端部8bを有する。第１アーム８の端部8bは、少なくとも１つの曲げ部を有する。金属カバー7の第２アーム8’は、基板1の第２角部を保持する端部8b’を有する。第２アーム8’の端部8b’は、少なくとも１つの曲げ部を有する。
【００５６】
基板1の第１角部と基板1の第２角部は、基板1の対角線上に位置する。図11で示すように、第１アーム8の第１延長部8aと第２アーム8’の第１延長部8a’は、金属カバ―7の上方から見て対向する位置から、基板１に向かって延びている。
【００５７】
金属カバー7の第１アーム8は、押圧部材60の第１側面60caを部分的に覆い、基板1に向かって延びる第１延長部8aと、第１延長部8aから基板1の第１角部に向かって延びる第２延長部8aaと、基板1の第１角部を保持する端部8bを有する。金属カバー7の第２アーム8’は、押圧部材60の第２側面60cbを部分的に覆い、基板1に向かって延びる第１延長部8a’と、第１延長部8a’から基板1の第２角部に向かって延びる第２延長部部8aa’と、基板1の第２角部を保持する端部8b’を有する。
【００５８】
第１アーム8の第１延長部8aの幅は、第１アームの端部8bの幅より３倍以上幅広である。第１アーム8の第１延長部8aの幅は、基板1の一辺の幅よりは狭い。第１アーム8の第１延長部8aは、押圧部材60の第１側面と、ケーシング17の第１側面とを部分的に覆う。第１アーム8の第２延長部8aaは、基板1の第１側面を部分的に覆う。第１アーム8の第１延長部8aと第２延長部8aaの先端に位置する端部8bは、基板1の第１角部内で、基板1の第１角部を保持する。すなわち、第１アーム8の第１延長部8aと第２延長部8aaの先端に位置する端部8bが、基板1の第１角部4aに設けられた切欠部内に、かしめられている。第１アーム8の端部8bは、少なくとも１つの曲げ部を有する。本実施形態において、第１アーム8の端部8bの少なくとも１つの曲げ部は、基板1の角部の形状に沿って配置される。第１アーム8の端部8bの少なくとも1つの曲げ部は、第１の曲げ部8baと第２の曲げ部8bbを有していてもよい。
【００５９】
また、第２アーム8’の第１延長部8a’の幅は、第２アーム8’の端部8b’の幅より、３倍以上幅広である。第２アーム8’の第１延長部8a’の幅は、基板1の一辺よりは狭い。第２アーム8’の第１延長部8a’は、押圧部材60の第２側面と、ケーシング17の第２側面とを部分的に覆う。第２アーム8’の第２延長部8aa’は、基板1の第２側面を部分的に覆う。第２アーム8’の第１延長部8a’と第２延長部8aa’の先端に位置する端部8b’は、基板1の第２角部内で、基板1の第１角部を保持する。すなわち、第２アーム8’の第１延長部8a’と第２延長部8aa’の先端に位置する端部8b’が、基板1の第２角部に設けられた切欠部内に、かしめられている。第２アーム8’の端部8b’は、少なくとも１つの曲げ部を有する。本実施形態において、第２アーム8’の端部8b’の少なくとも１つの曲げ部は、基板1の角部の形状に沿って配置される。第２アーム8’の端部8b’の少なくとも1つの曲げ部は、第１の曲げ部8ba’と第２の曲げ部8bb’を有していてもよい。本実施形態の金属カバー7は、基板1やケーシング17をかかえて、基板1を保持することが出来る。本実施形態のスイッチ300は、スイッチに力がかかっても、分解しにくい構造を提案する。
【００６０】
また、本実施形態において、金属カバー7のアームは、端部も含めて、基板1の下面1bよりも高い位置にある（図１３の部分拡大図参照）。したがって、基板1の下面1bに段差を設ける必要がない。金属カバー７のアームが、押圧部材60や基板1を抱えて保持する構造を持ちながら、平坦な基板1を実現出来る。
【００６１】
図１６は、図９で示すスイッチの分解斜視図である。導電部材は、１枚の金属バネでも良い。本実施形態のスイッチの導電部材は、第１の金属バネ5と第２の金属バネ5’の２枚の金属バネを有する。スイッチの導電部材として、２枚の金属バネを使用すれば、１枚あたりの金属バネにかかる負荷が軽減し、導電部材の耐用年数を長くすることが出来る。なお、第１の金属バネ5と第２の金属バネ5’は、同じ形状の２枚のバネを用いても
【００６２】
金属カバー７の第１アーム8の端部8bは、基板1の第１角部内で、基板1を保持する。金属カバー7の第２アーム8’の端部8b’は、基板1の第２角部内で、基板1を保持する。
【００６３】
金属カバー7の第１アーム8の端部8bは、基板1の第１角部にある切欠部4(4a)内に位置する。金属カバー7の第２アーム8’の端部8b’は、基板1の第１角部に対向する位置にある第２角部にある切欠部内4(4b)に位置する。
【００６４】
金属カバー7は、第１アーム8よりも短い追加のアーム9を有していても良い。金属カバー7は、追加の第１アーム9と、追加の第２アーム9’を有していても良い。金属カバー7の追加の第１アーム9は、押圧部材60の第３側面60ccを部分的に覆っている。金属カバー7の追加の第２アーム9’は、押圧部材60の第４側面60cdを部分的に覆っている。金属カバー7の追加の第１アーム9と追加の第２アーム9’は、スイッチ300の押圧部材60の側面を保護するのに役立つ。
【００６５】
本実施形態では、基板1の角部に位置する切欠部4(4a, 4b, 4c, 4d)は、金属めっきを有していても良い。
【００６６】
金属カバー7の第１アーム8の端部8bと第２アーム8’の端部8bが、基板1の対角線上にあり、基板1を保持している。金属カバー7の第１アーム8の端部8bは、第１角部の第１切欠部4a内にかしめられている。金属カバー7の第２アーム8’の端部8bは、第２角部の第２切欠部4b内にかしめられている。したがって、本実施形態の基板1の下面1bは、平坦にすることが出来る。
【００６７】
図１７−２３は、本発明の第４実施形態に係るスイッチ示す。図１７は、スイッチ400を上方側から見た斜視図である。図１８は、金属カバー7の中央部に設けた開口11内に、押圧部材60の可動部6の第１凸部をはめ込む図を示す。図１９は、図１７で示すスイッチの上面図である。図２０は、図１７で示すスイッチの下面図である。図２１は、図１７で示すスイッチの第一側面図である。図２２は、図１７で示すスイッチの第二側面図である。図２３は、図１９で示すスイッチのXXIII-XXIII断面図である。
【００６８】
スイッチ400は、第１電極2aと、第１電極2aの外側に位置する第２電極2bと、を有する基板1と；基板1の第１電極2aを覆って、第２電極2b上に配置される導電部材5と；導電部材5の上方に配置された可動部6を有する押圧部材60と；押圧部材60の上方から押圧部材60を部分的に覆うカバー7であって、基板1を保持するアームを有するカバー7と；を有する。カバー7のアームのうち、少なくとも一つのアーム8は、基板1を保持する端部8bを有する。
【００６９】
カバー7は、金属を含む。基板1は、基板1の第１側面1caに隣設される第１角部と第２角部を有する。基板1は、第１角部に第１切欠部を有する。基板1は、第２角部に第２切欠部を有する。カバー7の少なくとも一つのアーム8は、押圧部材60の第１側面60ca上を横切って延びる延長部8aと、延長部8aの端から、基板1の第１側面1ca上において、第１角部に向かって延びる第１枝部8aaと、基板1の第２角部に向かって延びる第２枝部8abと、を有する。第１枝部8aaは端部8bを有する。第１枝部8aaの端部8bは、基板1の第１角部の第１切欠部4(4a)内に位置する、少なくとも一つの曲げ部8baを有する。第２枝部8abは端部8bを有する。第２枝部8abの端部8bは、基板1の第２角部の第２切欠部4(4b)内に位置する、少なくとも一つの曲げ部8bbを有する。
【００７０】
詳細には、基板1は、基板1の第１側面1caに隣設される第１角部と第２角部を有する。基板1は、第１角部に第１切欠部4(4a)を有する。基板1は、第２角部に第２切欠部4(4b)を有する。さらに、基板1は、基板1の第２側面1cbに隣設される第３角部と第４角部を有する。基板1は、第３角部に第３切欠部4(4c)を有する。基板1は、第４角部に第４切欠部4(4d)を有する。基板1の第１側面1caは、基板1の第２側面1cbの反対側に位置する。
【００７１】
金属カバー7は、押圧部材60の第１側面60ca上を横切って延びる第１アーム8と、押圧部材60の第２側面60cb上を横切って延びる第２アーム8’とを有する。金属カバー7の第１アーム8は、押圧部材60の第１側面60ca上を横切って延びる延長部8aと、延長部8aの端から、基板1の第１側面1ca上において、基板1の第１角部に向かって延びる第１枝部8aaと、基板1の第２角部に向かって延びる第２枝部8abと、を有する。第１枝部8aaは端部8bを有する。第１枝部8aaの端部8bは、基板1の第１角部の第１切欠部4(4a)内に位置する、少なくとも一つの曲げ部8baを有する。第２枝部8abは端部8bを有する。第２枝部8abの端部8bは、基板1の第２角部の第２切欠部4(4b)内に位置する、少なくとも一つの曲げ部8bbを有する。
【００７２】
金属カバー7の第２アーム8’は、押圧部材60の第２側面60cb上を横切って延びる延長部8a’と、延長部8a’の端から、基板1の第２側面1cb上において、基板1の第３角部に向かって延びる第１枝部8aa’と、基板1の第４角部に向かって延びる第２枝部8ab’と、を有する。第１枝部8aa’は端部8bを有する。第１枝部8aa’の端部8bは、基板1の第３角部の第３切欠部4(4c)内に位置する、少なくとも一つの曲げ部8ba’を有する。第２枝部8ab’は、端部8bを有する。第２枝部8ab’の端部8bは、基板1の第４角部の第４切欠部4(4d)内に位置する、少なくとも一つの曲げ部8bb’を有する。
【００７３】
また、金属カバー7は、第１アーム8よりも短い追加のアーム9を有していても良い。金属カバー7の追加のアーム9は、追加の第１アーム9と、追加の第２アーム9’を有していても良い。金属カバー7の追加の第１アーム9は、押圧部材60の第３側面60ccを部分的に覆っている。金属カバー7の追加の第２アーム9’は、押圧部材60の第4側面60cdを部分的に覆っている。金属カバー7の追加の第１アーム9と追加の第２アーム9’は、スイッチ400の押圧部材60の側面を保護するのに役立つ。
【００７４】
金属カバー7の第１アーム8の第１枝部8aaの端部8bは、基板1の第１角部の第１切欠部4(4a)内にかしめられて、基板1を保持する。金属カバー7の第１アーム8の第２枝部8abの端部8bは、基板１の第２角部の第２切欠部4(4b)内にかしめられて、基板1を保持する。金属カバー7の第２アーム8’の第１枝部8aa’の端部8bは、基板1の第３角部の第３切欠部4(4c)内にかしめられて、基板1を保持する。金属カバー7の第２アーム8’の第１枝部8aa’の端部8bは、基板1の第３角部の第３切欠部4(4c)内にかしめられて、基板1を保持する。金属カバー7の第２アーム8’の第２枝部8ab’の端部8bは、基板1の第４角部の第４切欠部4(4d)内にかしめられて、基板1を保持する。金属カバー7の第1アーム8の端部8bは、基板1の第２角部の第２切欠部4(4b)内にかしめられて、基板1を保持する。
【００７５】
基板1の角部４(4a, 4b, 4c, 4d)に位置する、切欠部は、金属めっきを有していても良い。また、本実施形態の基板1の下面1bは、平坦にすることが出来る。
【００７６】
本発明の主題から、いくつかの実施形態において、構成要素の特定の組み合わせが参照され図示されている。さらに、本発明の主題の教示から離れることなく、様々な組み合わせが他にも可能である。したがって、本発明の主題はここに記載されて図示された特定の例示的実施形態に限定されるものとして解釈されるべきではなく、様々な図示された実施形態の構成要素の組み合わせを包含するものでもある。
【符号の説明】
【００７７】
1  基板
1a  基板の上面
1b  基板の下面（第１下面）
1b’  基板の下面（第２下面）
1c  基板の周側面
1ca  基板周側面の第１側面
1cb  基板周側面の第２側面
1cc  基板周側面の第３側面
1cd  基板周側面の第４側面
2a  第１電極
2b  第２電極
2a’  基板の下面に設けられる第１電極
2b’  基板の下面に設けられる第２電極
3a  第１スルーホール
3b  第２スルーホール
4  基板の切欠部
4a  基板の第１切欠部
4b  基板の第２切欠部
4c  基板の第３切欠部
4d  基板の第４切欠部
5  導電部材(第１の金属バネ)
5’  導電部材（第２の金属バネ）
6  押圧部材の可動部
6a  可動部の第１凸部
6b  可動部の第２凸部
7  カバー（金属カバー）
7a  カバーの上面
7b  カバーの下面
7c  カバーの周側面の底面
7d  カバーの周側面
8  カバーのアーム（第１アーム）
8a  アーム（第１アーム）の延長部
8aa  第１枝部
8ab  第２枝部
8b  アーム（第１アーム）の端部
8ba、8ba’  第１の曲げ部
8bb、8bb’  第２の曲げ部
8’  カバーのアーム（第２アーム）
8”  第３アーム
8”’  第４アーム
8a’  アーム（第１アーム）の延長部
9  カバーの追加のアーム（追加の第１アーム）
9a  追加のアーム（追加の第１アーム）の延長部
9b  追加のアーム（追加の第１アーム）の端部
9’  カバーの追加のアーム（追加の第２アーム）
9a’  追加のアーム（追加の第２アーム）の延長部
9b’  追加のアーム（追加の第２アーム）の端部
10  カバーの追加のアーム（追加の第３アーム）
10a  追加のアーム（追加の第３アーム）の延長部
10b  追加のアーム（追加の第３アーム）の端部（平坦部）
10’  カバーの追加のアーム（追加の第４アーム）
10a’  追加のアーム（追加の第４アーム）の延長部
10b’   追加のアーム（追加の第４アーム）の端部（平坦部）
10”   追加の第５アーム
10”’   追加の第６アーム
11  カバーの上面と下面を貫通する開口
12  導電部材の周縁を基板の第２電極上に固定するシート
13  基板と導電部材5の間に水や埃などの異物が侵入するのを防ぐ保護シート
16  押圧部
17  ケーシング
21  基板（集合基板）
21a  基板（集合基板）の上面（第１面）
21b  基板（集合基板）の下面（第２面の第１下面）
21b’  基板（集合基板）の下面（第２面の第２下面）
22  導電部材固定用シート
22a  上面
23  保護シート
30a  基板（集合基板）のスルーホール
30b  基板（集合基板）のスルーホール
40  貫通穴
60  押圧部材
60a  押圧部材の上面
60ca  押圧部材の第１側面
60cb  押圧部材の第２側面
60cc  押圧部材の第３側面
60cd  押圧部材の第４側面
76  第２セット
100  スイッチ
200  スイッチ
231  第１セット
300  スイッチ
400  スイッチ
【図１】
2017047705.tif 000003
【図２】
2017047705.tif 000004
【図３Ａ】
2017047705.tif 000005
【図３Ｂ】
2017047705.tif 000006
【図４】
2017047705.tif 000007
【図５】
2017047705.tif 000008
【図６】
2017047705.tif 000009
【図７】
2017047705.tif 000010
【図８Ａ】
2017047705.tif 000011
【図８Ｂ】
2017047705.tif 000012
【図８Ｃ】
2017047705.tif 000013
【図８Ｄ】
2017047705.tif 000014
【図８Ｅ】
2017047705.tif 000015
【図９】
2017047705.tif 000016
【図１０】
2017047705.tif 000017
【図１１】
2017047705.tif 000018
【図１２】
2017047705.tif 000019
【図１３】
2017047705.tif 000020
【図１４】
2017047705.tif 000021
【図１５】
2017047705.tif 000022
【図１６】
2017047705.tif 000023
【図１７】
2017047705.tif 000024
【図１８】
2017047705.tif 000025
【図１９】
2017047705.tif 000026
【図２０】
2017047705.tif 000027
【図２１】
2017047705.tif 000028
【図２２】
2017047705.tif 000029
【図２３】
2017047705.tif 000030
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
第１電極と、第１電極の外側に位置する第２電極と、を有する基板と、  基板の第１電極を覆って、第２電極上に配置される導電部材と、  導電部材の上方に配置された可動部を有する押圧部材と、  押圧部材の上方から押圧部材を部分的に覆うカバーであって、基板を保持する第１アームと第２アームを有するカバーと；を備え、  基板は、基板の対角線上に位置する第１角部と第２角部を有し、 前記カバーの第１アームは、押圧部材の第１側面を部分的に覆い、基板に向かって延びる第１延長部と、第１延長部から基板１の第１角部に向かって延びる第２延長部と、第２延長部の先端に位置し基板の第１角部を保持する端部を有し、 前記カバーの第２アームは、押圧部材の第２側面を部分的に覆い、基板に向かって延びる第１延長部と、第１延長部から基板の第２角部に向かって延びる第２延長部と、第２延長部の先端に位置し基板の第２角部を保持する端部を有するスイッチ。
【請求項２】
前記カバーは金属製である請求項１に記載のスイッチ。
【請求項３】
前記第１アームの第１延長部の幅は、第１アームの端部の幅より３倍以上幅広である請求項１に記載のスイッチ。
【請求項４】
前記第２アームの第１延長部の幅は、第２アームの端部の幅より３倍以上幅広である請求項１に記載のスイッチ。
【請求項５】
前記カバーの第１アームの端部は、前記基板の第１角部に設けられた切欠部内にかしめられ、前記カバーの第２アームの端部は、前記基板の第２角部に設けられた切欠部内にかしめられている請求項１又は２に記載のスイッチ。
【請求項６】
前記第１アームの端部は、基板の第１角部に沿って配置される曲げ部を有し、前記第２アームの端部は基板の第２角部に沿って配置される曲げ部を有する請求項１又は５に記載のスイッチ。
【手続補正３】
【補正対象書類名】明細書
【補正対象項目名】０００１
【補正方法】変更
【補正の内容】
【０００１】  本発明は、基板と、基板を保持するカバーと、を有するスイッチに関する。
【手続補正５】
【補正対象書類名】図面
【補正対象項目名】図１０
【補正方法】変更
【補正の内容】
【図１０】
2017047705.tif 000031
【国際調査報告】
2017047705.tif 000032
2017047705.tif 000033
2017047705.tif 000034
2017047705.tif 000035